(57)【要約】      （修正有）【課題】気泡の滞留を抑制できるフィルターユニットを提供する。【解決手段】フィルターユニット１００は、フィルター室１３０を構成する流路部材１４０と、フィルター室１３０を第１空間１３２と第２空間１３４とに区画するフィルター１５０とで構成される。第２空間１３４の壁面の第１凹部１４２２内には、第１接続口１４６２が形成され、第２凹部１４２４内には、第２接続口１４６４が形成され、凸部１４４は、第１接続口１４６２と第２接続口１４６４との間を横切る方向に延びている。フィルター１５０の面内方向のうち第２接続口１４６４から第１接続口１４６２に向かう方向である第１方向Ｃｄにおける第１接続口１４６２と凸部１４４の先端部との間の距離は、第１方向Ｃｄにおける第１接続口１４６２と凸部１４４の一端部との間の距離よりも短く、第１方向Ｃｄにおける第１接続口１４６２と凸部１４４の他端部との間の距離よりも短い。【選択図】図３
2020032677.tif 000002
【特許請求の範囲】
【請求項１】
フィルターユニットであって、
液体が流通するフィルター室を構成する流路部材と、
前記フィルター室を液体の流通方向の上流側に位置する第１空間と下流側に位置する第２空間とに区画するフィルターと、を備え、
前記流路部材の壁面のうち前記第２空間の壁面には、前記フィルターから離れる方向にくぼむ２つの凹部である、第１凹部と第２凹部とが形成され、
前記壁面のうち前記第１凹部と前記第２凹部との間には、前記フィルターに近づく方向に突き出る凸部が形成され、
前記第１凹部の内には、前記第２空間から前記フィルター室の外部に液体を流出させるための第１接続口が形成され、
前記第２凹部の内には、前記第２空間から前記フィルター室の外部に液体を流出させるための第２接続口が形成され、
前記第１空間側から前記第２空間側を見た場合において、前記凸部は、前記第１接続口と前記第２接続口との間を横切る方向に延び、
前記横切る方向における前記凸部の一端部と他端部との間を先端部とした場合に、前記フィルターの面内方向のうち前記第２接続口から前記第１接続口に向かう方向である第１方向における前記第１接続口と前記先端部との間の距離は、前記第１方向における前記第１接続口と前記一端部との間の距離よりも短く、前記第１方向における前記第１接続口と前記他端部との間の距離よりも短い、
フィルターユニット。
【請求項２】
請求項１に記載のフィルターユニットであって、
前記第１空間側から前記第２空間側を見た場合において、前記第１方向における前記フィルターの最大幅は、前記フィルターの面内方向のうち前記第１方向に直交する方向である第２方向における前記フィルターの最大幅より大きい、フィルターユニット。
【請求項３】
請求項１又は請求項２に記載のフィルターユニットであって、
前記第１空間側から前記第２空間側を見た場合において、前記第１方向における前記フィルターの端部のうち前記第１接続口側に位置する一端部から前記第１接続口までの距離は、前記一端部から前記フィルターの他端部までの距離の二分の一より小さい、フィルターユニット。
【請求項４】
請求項１から請求項３までのいずれか一項に記載のフィルターユニットであって、
前記第１空間側から前記第２空間側を見た場合において、前記第１方向における前記フィルターの端部のうち前記第２接続口側に位置する他端部から前記第２接続口までの距離は、前記他端部から前記一端部までの距離の四分の一より小さい、フィルターユニット。
【請求項５】
液体を外部へ吐出する液体吐出ヘッドであって、
請求項１から請求項４までのいずれか一項に記載のフィルターユニットと、
前記第１接続口および前記第２接続口に接続され、前記第１接続口および前記第２接続口を介して前記フィルターユニットから流入する液体を外部へと吐出するための開口を有する複数のノズルと、
前記液体に外部に吐出するための動力を付与するエネルギー発生素子と、を備える、液体吐出ヘッド。
【請求項６】
請求項５に記載の液体吐出ヘッドであって、
前記複数のノズルは、前記第１接続口を介して前記フィルター室に接続された第１ノズルと、前記第２接続口を介して前記フィルター室に接続された第２ノズルと、を含み、
前記エネルギー発生素子は、前記第１ノズルから吐出される液体に前記動力を付与する第１エネルギー発生素子と、前記第２ノズルから吐出される液体に前記動力を付与する第２エネルギー発生素子と、を含む、液体吐出ヘッド。
【請求項７】
請求項５又は請求項６に記載の液体吐出ヘッドであって、
複数の前記フィルター室を備え、
前記第１空間側から前記第２空間側を見た場合において、前記第１方向における各前記フィルター室に配置された前記フィルターの最大幅は、各前記フィルター室に配置された前記フィルターの面内方向のうち前記第１方向に直交する方向である第２方向における前記フィルターの最大幅より大きく、
複数の前記フィルター室は、前記第２方向に沿って配置されている、液体吐出ヘッド。
【請求項８】
液体吐出装置であって、
請求項５から請求項７までのいずれか一項に記載の液体吐出ヘッドと、
モーターを有し、前記液体吐出ヘッドから吐出された液体を受けるメディアを搬送する搬送機構と、を備える、液体吐出装置。
【請求項９】
液体吐出装置であって、
液体の流通が可能なフィルター室を構成する流路部材と、
前記フィルター室の内部空間を液体の流通方向の上流側に位置する第１空間と下流側に位置する第２空間とに区画するフィルターと、
前記フィルター室に接続され、前記フィルター室から流入する液体を吐出する液体吐出ヘッドと、
前記吐出される液体を受けるメディアを搬送するためのモーターと、を備え、
前記フィルターは、鉛直方向に垂直な平面に交差するように配置され、
前記流路部材の壁面のうち前記第２空間の壁面には、前記第２空間と前記液体吐出ヘッドとを接続させるための２つの開口である、第１接続口と第２接続口とが形成され、
前記第１接続口と前記第２接続口とは、前記鉛直方向における位置が異なり、
前記第１空間側から前記第２空間側を見た場合において、前記フィルターの面内方向のうち前記第１接続口から前記第２接続口に向かう方向である第１方向における前記フィルターの最大幅は、前記フィルターの面内方向のうち前記第１方向に直交する方向である第２方向における前記フィルターの最大幅より大きい、
液体吐出装置。
【請求項１０】
請求項９に記載の液体吐出装置であって、
前記壁面には、前記フィルターから離れる方向にくぼむ２つの凹部である、第１凹部と第２凹部とが形成され、
前記壁面のうち前記第１凹部と前記第２凹部との間には、前記フィルターに近づく方向に突き出る凸部が形成され、
前記第１接続口は、前記第１凹部の内に形成され、
前記第２接続口は、前記第２凹部の内に形成され、
前記凸部は、前記第１空間側から前記第２空間側を見た場合において、前記第１接続口と前記第２接続口との間を横切る方向に延びている、液体吐出装置。
【請求項１１】
請求項１０に記載の液体吐出装置であって、
前記凸部は、前記第１空間側から前記第２空間側を見た場合において、前記横切る方向における前記凸部の一端部と他端部との間に、前記一端部と前記他端部とを結ぶ直線より、前記第１接続口に近い部分を有する、
液体吐出装置。
【請求項１２】
請求項９から請求項１１までのいずれか一項に記載の液体吐出装置であって、
前記第１空間側から前記第２空間側を見た場合において、前記第１方向における前記フィルターの端部のうち前記第１接続口側に位置する一端部から前記第１接続口までの距離は、前記一端部から前記フィルターの他端部までの距離の二分の一より小さい、液体吐出装置。
【請求項１３】
請求項９から請求項１２までのいずれか一項に記載の液体吐出装置であって、
前記第１空間側から前記第２空間側を見た場合において、前記第１方向における前記フィルターの端部のうち前記第２接続口側に位置する他端部から前記第２接続口までの距離は、前記他端部から前記フィルターの一端部までの距離の四分の一より小さい、液体吐出装置。
【請求項１４】
請求項９から請求項１３までのいずれか一項に記載の液体吐出装置であって、
複数の前記フィルター室を備え、
複数の前記フィルター室は、前記第２方向に沿って配置されている、液体吐出装置。
【請求項１５】
請求項９から請求項１４までのいずれか一項に記載の液体吐出装置であって、
前記液体吐出ヘッドは、前記液体を外部へと吐出するための開口を有するノズルと、前記液体に外部に吐出するための動力を付与するエネルギー発生素子と、を備え、
前記ノズルは、前記第１接続口を介して前記フィルター室に接続された第１ノズルと、前記第２接続口を介して前記フィルター室に接続された第２ノズルと、を含み、
前記エネルギー発生素子は、前記第１ノズルから吐出される液体に前記動力を付与する第１エネルギー発生素子と、前記第２ノズルから吐出される液体に前記動力を付与する第２のエネルギー発生素子と、を含む、液体吐出装置。
【発明の詳細な説明】
【技術分野】
【０００１】
本開示は、フィルターユニット、液体吐出ヘッド及び液体吐出装置に関する。
【背景技術】
【０００２】
従来、液体を流通させる流路の一部として、液体の流通方向の上流側と下流側とが水平方向に延びるフィルターによって隔てられたフィルター室を有する流路部材が知られている（例えば特許文献１）。この流路部材において、フィルター室のうち上流側に位置する上流側フィルター室は、下流側に位置する下流側フィルター室より鉛直方向上側に位置している。上流側フィルター室には、フィルター室に液体を流入させるための開口が、フィルターと対向するように形成されている。また、フィルター室のうち下流側に位置する下流側フィルター室には、フィルター室から液体を流出させるための開口が、フィルターと対向するように形成されている。このため、通常の使用状態において、液体は、フィルター室内を鉛直方向上側から下側に向かって流れる。
【先行技術文献】
【特許文献】
【０００３】
【特許文献１】特開２０１６−０４９７２５号公報
【発明の概要】
【発明が解決しようとする課題】
【０００４】
流路部材内を流通する液体中には、気泡が含まれている場合がある。この場合には、液体の移動に伴って気泡が下流側フィルター室内に流入する場合がある。発明者らは、従来の技術において、フィルター室が傾くように流路部材が用いられた場合には、下流側フィルター室内に流入した気泡が、浮力によって鉛直方向上側に移動し、フィルター室の上端部に溜まる可能性を見出した。
【課題を解決するための手段】
【０００５】
本開示の一形態によれば、フィルターユニットが提供される。このフィルターユニットは、液体が流通するフィルター室を構成する流路部材と、前記フィルター室を液体の流通方向の上流側に位置する第１空間と下流側に位置する第２空間とに区画するフィルターと、を備え、前記流路部材の壁面のうち前記第２空間の壁面には、前記フィルターから離れる方向にくぼむ２つの凹部である、第１凹部と第２凹部とが形成され、前記壁面のうち前記第１凹部と前記第２凹部との間には、前記フィルターに近づく方向に突き出る凸部が形成され、前記第１凹部の内には、前記第２空間から前記フィルター室の外部に液体を流出させるための第１接続口が形成され、前記第２凹部の内には、前記第２空間から前記フィルター室の外部に液体を流出させるための第２接続口が形成され、前記第１空間側から前記第２空間側を見た場合において、前記凸部は、前記第１接続口と前記第２接続口との間を横切る方向に延び、前記横切る方向における前記凸部の一端部と他端部との間を先端部とした場合に、前記フィルターの面内方向のうち前記第２接続口から前記第１接続口に向かう方向である第１方向における前記第１接続口と前記先端部との間の距離は、前記第１方向における前記第１接続口と前記一端部との間の距離よりも短く、前記第１方向における前記第１接続口と前記他端部との間の距離よりも短い。
【図面の簡単な説明】
【０００６】
【図１】液体吐出装置の内部構成を示す模式図。
【図２】第１実施形態におけるヘッドユニットの構成を示す模式図。
【図３】第１実施形態におけるヘッドユニットの構成を示す別の模式図。
【図４】図３における４−４断面を示す模式断面図。
【図５】第２実施形態に係るフィルターユニットの模式図。
【図６】第３実施形態に係るフィルターユニットの模式図。
【図７】図６における７−７断面を示す模式断面図。
【図８】参考例におけるヘッドユニットの構成を示す模式図。
【図９】図８における９−９断面を示す模式断面図。
【図１０】第１の他の実施形態に係るフィルターユニットの模式図。
【発明を実施するための形態】
【０００７】
Ａ．第１実施形態
Ａ１．液体吐出装置の構成
図１は、液体吐出装置１の内部構成を示す模式図である。液体吐出装置１は、いわゆるインクジェットプリンターであり、メディア２０上に液体としてのインクを吐出することでメディア２０に対して印刷を行う。メディア２０は、用紙や板材や布などの印刷媒体である。インクには、例えば、水性インクや溶剤インクを用いることができる。本実施形態において、インクは、水性インクが用いられている。図１には、互いに直交する３つの空間軸であるＸ軸、Ｙ軸、Ｚ軸が描かれている。Ｘ軸に沿った方向をＸ軸方向とし、Ｙ軸に沿った方向をＹ軸方向とし、Ｚ軸に沿った方向をＺ軸方向とする。液体吐出装置１は、Ｘ軸方向とＹ軸方向によって規定されるＸＹ平面に対して平行な面に設置されている。−Ｚ軸方向が鉛直下方向であり、＋Ｚ軸方向が鉛直上方向である。以降に説明する他の図においても、必要に応じてＺ軸を付している。
【０００８】
液体吐出装置１は、外殻１０の内部に、メディア２０を搬送する搬送機構１５と、制御部１７と、キャリッジ１９と、キャリッジ１９に着脱可能に搭載される液体供給源３０と、を備える。搬送機構１５は、動力源としてモーターＭを有する。キャリッジ１９は、液体を外部へ吐出する液体吐出ヘッドとして機能するヘッドユニット１２を備える。制御部１７は、液体吐出装置１の各種動作、例えば印刷動作を制御する。本実施形態において、液体供給源３０は、内部に液体を収容可能な液体タンクである。
【０００９】
キャリッジ１９は、ヘッドユニット１２と、ヘッドユニット１２上に配置された装着部１１を有する。装着部１１は、例えば＋Ｚ軸方向が開口する凹形状であり、液体供給源３０が装着される装着空間を形成する。装着部１１は、装着空間を区画する下面から＋Ｚ軸方向側に突出する液体導入針部１１２を有する。液体導入針部１１２は、液体供給源３０に接続される。液体導入針部１１２は中空状であり、先端側に内部と連通する連通孔が形成されている。液体導入針部１１２の内部には、液体導入針部１１２の連通孔を介して液体供給源３０から供給される液体が流通する。ヘッドユニット１２は、液体導入針部１１２と連通し、液体供給源３０から供給された液体をメディア２０に対して吐出する。
【００１０】
Ａ２．液体吐出ヘッドユニットの構成
図２は、第１実施形態におけるヘッドユニット１２を示す模式図である。ヘッドユニット１２は、６つのヘッドチップ１２１〜１２６と、プレート１１８と、を備える。図２には、ヘッドチップ１２０の並ぶ方向であるＬｄ方向が示されている。また、プレート１１８に沿った方向のうちＬｄ方向に直交する方向であるＣｄ方向が示されている。以下において、ヘッドチップ１２１〜１２６の共通の機能及び構成を説明する場合には、ヘッドチップ１２１〜１２６は、ヘッドチップ１２０とも記載される。また、ヘッドチップ１２０の数は６つに限られず、５つ以下でもよいし、７つ以上でもよい。
【００１１】
プレート１１８は、６つのヘッドチップ１２１を一列に並んだ状態で固定可能な板状部材である。プレート１１８は、各ヘッドチップ１２１〜１２６に対して少なくとも１つずつ、液体を吐出するためのノズル１１９を有する。なお、プレート１１８がノズルを有するために、プレート１１８自体にノズル１１９を設けてもよいし、ノズル１１９を設けた不図示のノズルプレートをプレート１１８に固定してもよい。
【００１２】
ヘッドチップ１２０は、液体供給源３０から供給された液体を流通させるための流路構造を内部に有する。また、ヘッドチップ１２１〜１２６は、内部を流通する液体に、ノズル１１９から吐出するための動力を付与する。
【００１３】
図３は、第１実施形態におけるヘッドユニット１２を示す別の模式図である。ヘッドユニット１２は、接続流路１８０を介して液体供給源３０に接続されている。図３において、ヘッドユニット１２は、１つのフィルターユニット１００に対して２つのヘッドチップ１２１が接続されている。本実施形態において、フィルターユニット１００及びヘッドチップ１２１は、一体化されている。通常の使用状態において、図３の紙面上側は＋Ｚ軸方向側であり、紙面下側は−Ｚ軸方向側である。
【００１４】
本実施形態において、メディア２０のうち少なくとも液体を受ける面における搬送方向ｓｄは、水平方向に対して鋭角である。例えば、搬送方向ｓｄと水平方向（図１のＸＹ平面）とが成す角度θを、３０度以上９０度未満に、さらには４５度以上９０未満としている。本実施形態において、角度θは、６０度である。また、図３のように、６つのヘッドチップ１２０には、Ｚ軸方向の位置が異なるヘッドチップ１２０が含まれる。すなわち６つのヘッドチップ１２０は千鳥に配置されている。なお、本実施形態において、「千鳥に配列されている」とは、一定の間隔でヘッドチップ１２０が並べられた列が２以上あり、隣接する列同士におけるヘッドチップ１２０が互い違いに配列されていることを意味する。ヘッドチップ１２０は、メディア２０に対して概ね垂直に液体を吐出できるように、液体吐出装置１に備えられている。具体的には、本実施形態において、ヘッドチップ１２０は、Ｃｄ方向と搬送方向ｓｄとが平行になるように、液体吐出装置１に備えられている。メディア２０の搬送方向ｓｄを水平方向に対して傾斜させることが可能であるため、液体吐出装置１（図１）は、水平方向におけるメディア２０の搬送距離を小さくできる。したがって、メディア２０のサイズを大きくした場合であっても、水平方向におけるメディア２０の搬送距離を確保することによる、液体吐出装置１の大型化を抑制できる。
【００１５】
フィルターユニット１００は、フィルター室１３０内を流通する液体に含まれる異物を液体から分離し、異物が分離された後の液体をヘッドチップ１２０へと供給する。液体に含まれる異物は、例えば、液体の一部が乾燥することによって発生する。また、異物には、液体中の気泡も含まれる。フィルターユニット１００は、流路部材１４０と、フィルター１５０と、を備える。
【００１６】
流路部材１４０は、液体の流通が可能な内部空間であるフィルター室１３０を規定する。フィルター室１３０は、液体供給源３０からヘッドチップ１２０へと液体を流通させるための流路の一部である。本実施形態において、流路部材１４０は、ポリプロピレン等の合成樹脂によって形成されている。図３では、フィルター室１３０に設けられた２つの接続口１４６２、１４６３を通るように切断した場合における流路部材１４０の模式断面が示されている。
【００１７】
フィルター１５０は、フィルター室１３０内において、フィルター室１３０を第１空間１３２と第２空間１３４とに区画するように配置されている。第１空間１３２は、フィルター１５０によって区画された空間のうち液体の流通方向の上流側の空間である。また、第２空間１３４は、フィルター１５０によって区画された空間のうち液体の流通方向の下流側の空間である。本実施形態において、フィルター１５０は、フィルター面がＸＹ平面（図１）に対して交差するように配置されている。これにより、第１空間１３２は、第２空間１３４より上側に位置している。
【００１８】
フィルター１５０は、第１空間１３２側から第２空間１３４側に流通する液体に含まれる異物を捕捉することで、第１空間１３２側から第２空間１３４側への異物の移動を低減する。これにより、接続流路１８０を通ってフィルター室１３０に異物が流入した場合であっても、フィルター室１３０よりも下流側に異物が流出することを抑制できる。フィルター１５０には、液体の透過と固形状やゲル状の異物を捕捉とが可能なフィルター性を有する各種部材を用いることができる。フィルター１５０には、例えば、金属フィルターや不織布フィルター、電鋳フィルターを用いることができる。金属フィルターは、網状に加工された金属繊維でもよく、多孔質の板状金属部材でもよい。本実施形態では、複数の孔が形成されたステンレス板が用いられている。ステンレス板の加工には、例えば、プレス加工が用いられる。
【００１９】
ヘッドチップ１２０は、フィルターユニット１００から供給された液体をメディア２０（図１）に吐出する。ヘッドチップ１２０は、液体を収容する不図示の内部空間が形成された本体部１７１と、フィルターユニット１００から供給された液体を外部へと吐出するための開口であるノズル孔１７２と、エネルギー発生素子１７３と、を有する。エネルギー発生素子１７３は、ヘッドチップ１２０内を流通する液体に外部に吐出するための動力を付与する。エネルギー発生素子１７３は、例えば、ピエゾアクチュエーターである。本実施形態において、ヘッドチップ１２０には、ピエゾ方式が採用されている。ピエゾ方式のヘッドチップ１２０は、ピエゾアクチュエーターを用いて本体部１７１内の容積を変動させることによって、ノズル孔１７２から液体を吐出する。ノズル孔１７２から吐出される液体は、ノズル１１９を介してヘッドユニット１２からメディア２０に吐出される。
【００２０】
流路部材１４０のうち第２空間１３４においてフィルター１５０と対向する壁面１４１には、２つの凹部１４２２、１４２４と、１つの凸部１４４と、２つの接続口１４６２、１４６４と、が形成されている。
【００２１】
２つの凹部１４２２、１４２４において、壁面１４１は、フィルター１５０から離れる方向にくぼんでいる。壁面１４１において２つの凹部１４２２、１４２４のうち、第１凹部１４２２は上側に位置し、第２凹部１４２４は下側に位置する。本実施形態において、凹部１４２２、１４２４は、凹部１４２２、１４２４のうち最もフィルター１５０との距離が大きい部分に向かうにつれて、フィルター１５０と壁面１４１との距離が漸増する構造を有する。
【００２２】
凸部１４４は、第１凹部１４２２と第２凹部１４２４との間に形成されている。凸部１４４は、フィルター１５０に近づく方向に突き出る。これにより、フィルター１５０と凸部１４４との間において、フィルター１５０と壁面１４１との距離が減少している。また、凸部１４４とフィルター１５０との間には、少なくとも気泡の流通が可能な程度の隙間が形成されている。このため、フィルター１５０と凸部１４４との間での気泡の移動速度は、第２空間１３４における他の領域での気泡の移動速度より、大きい。フィルター１５０と壁面１４１との最小距離は、フィルター１５０と壁面１４１との最大距離の５０％以下であることが好ましく、２０％以下であることがより好ましい。
【００２３】
２つの接続口１４６２、１４６４は、フィルター室１３０から外部へと流出させるための開口である。２つの接続口１４６２、１４６４は、互いに鉛直方向（Ｚ軸方向）における位置が異なるように設けられている。２つの接続口１４６２、１４６４のうち一方である第１接続口１４６２は、第１凹部１４２２の内に形成されている。２つの接続口１４６２、１４６４のうち他方である第２接続口１４６４は、第２凹部１４２４の内に形成されている。第１接続口１４６２は、第１凹部１４２２のうちフィルター１５０から最も距離が大きい位置に設けられていることが好ましい。また、第２接続口１４６４は、第２凹部１４２４のうちフィルター１５０から最も距離が大きい位置に設けられていることが好ましい。本実施形態において、フィルター１５０の面内方向のうち第２接続口１４６４から第１接続口１４６２へと向かう第１方向は、Ｃｄ方向と一致している。本実施形態において、第１接続口１４６２と第２接続口１４６４とは、それぞれ異なるヘッドチップ１２０に接続されている。また、第１接続口１４６２の下流側と第２接続口１４６４の下流側とにおいて、液体の流れは合流しない。
【００２４】
図４は、図３における４−４断面を示す模式断面図である。図４は、第１空間１３２側から第２空間１３４側を見た場合の様子を示している。また、図４では、凸部１４４の尾根部１４４２が示されている。尾根部１４４２は、凸部１４４のうちＣｄ方向において最もフィルター１５０に近い部分を示している。以下において、凸部１４４の位置を説明する場合には、尾根部１４４２を基準として用いる。
【００２５】
図４に示す様に、凸部１４４は、第１接続口１４６２と第２接続口１４６４との間において、Ｃｄ方向と交差する方向に延びている。つまり、凸部１４４は、第１接続口１４６２と第２接続口１４６４との間を横切る方向に延びている。第１空間１３２側から第２空間１３４側を見た場合に、凸部１４４は、Ｃｄ方向における第１接続口１４６２との距離において、凸部１４４の一端部１４４４及び他端部１４４６より第１接続口１４６２に近い部分を有する。つまり、第１空間１３２側から第２空間１３４側を見た場合に、凸部１４４のうちＣｄ方向における第１接続口１４６２との距離が最小となる部分である先端部１４４８が、一端部１４４４及び他端部１４４６以外である。本実施形態において、凸部１４４の先端部１４４８は、第２接続口１４６４と第１接続口１４６２とを繋いだ直線Ｌ１と概ね重なる位置にある。先端部１４４８は、凸部１４４うちＣｄ方向における第１接続口１４６２との距離が最も小さい部分である。つまり、第１空間１３２側から第２空間１３４側を見た場合に、凸部１４４は、第１接続口１４６２に向かって突出する先端部１４４８を有している。なお、本実施形態において、直線Ｌ１と概ね重なる位置とは、直線Ｌ１と先端部１４４８との距離が、先端部１４４８と第１接続口１４６２との距離の１０％以下であることを意味する。
【００２６】
本実施形態において、第１空間１３２側から第２空間１３４側を見た場合において、フィルター室１３０の形状は、略長方形である。Ｃｄ方向におけるフィルター室１３０の第１の最大幅Ｗ１は、Ｌｄ方向における第２の最大幅Ｗ２より大きい。第１の最大幅Ｗ１は、第２の最大幅Ｗ２の１．２倍以上の大きさであることが好ましく、第２の最大幅Ｗ２の１．５倍以上の大きさであることが好ましい。本実施形態において、第１の最大幅Ｗ１は、第２の最大幅Ｗ２の約１．５倍の大きさである。なお、本実施形態において、第１空間１３２側から第２空間１３４側を見た場合におけるフィルター１５０の形状は、フィルター室１３０の内部空間と同様である。このため、フィルター１５０のＣｄ方向における最大幅は、フィルター室１３０の第１の最大幅Ｗ１と同じである。また、フィルター１５０のＬｄ方向における最大幅は、フィルター室１３０の第２の最大幅Ｗ２と同じである。なお、フィルター１５０の固定のために、フィルター１５０の幅を、フィルター室１３０の第１空間１３２または第２空間１３４の幅よりも大きくしてもよい。
【００２７】
第１空間１３２側から第２空間１３４側を見た場合において、Ｃｄ方向におけるフィルター室１３０の端部のうち第１接続口１４６２側に位置する一端部１３４２から第１接続口１４６２までの距離Ｄ１は、第１の最大幅Ｗ１の二分の一より小さいことが好ましい。また、距離Ｄ１は、第１の最大幅Ｗ１の四分の一より小さいことがより好ましく、第１の最大幅Ｗ１の八分の一より小さいことがさらに好ましい。距離Ｄ１は、具体的には、一端部１３４２から、第１接続口１４６２の開口の外縁のうち最も一端部１３４２と近い位置までの距離である。
【００２８】
第１空間１３２側から第２空間１３４側を見た場合において、Ｃｄ方向におけるフィルター室１３０の端部のうち第２接続口１４６４側に位置する他端部１３４４から第２接続口１４６４までの距離Ｄ２は、第１の最大幅Ｗ１の４分の１より小さいことが好ましい。また、距離Ｄ２は、第１の最大幅Ｗ１の８分の１より小さいことがより好ましい。距離Ｄ２は、具体的には、他端部１３４４から、第２接続口１４６４の開口の外縁のうち最も他端部１３４４と近い位置までの距離である。
【００２９】
Ａ３．フィルターユニット内における気泡の流通
ヘッドチップ１２０内を流通する液体に、気泡が含まれる場合がある。気泡は、例えば以下のような要因によって生じ得る。例えば、ヘッドチップ１２０内の気泡は、ヘッドユニット１２の温度上昇や環境温度の変化によって液体に溶存していた気体が析出することで発生する。また例えば、ヘッドチップ１２０内の気泡は、液体供給源３０の着脱による流路内への気体の混入や、エネルギー発生素子１７３であるピエゾアクチュエーターから生じる超音波によるキャビテーション気泡の発生に起因して発生する場合もある。また、ヘッドチップ１２０内の気泡は、キャリッジ１９（図１）の移動に伴う液面の波立ちによって発生する場合もある。
【００３０】
図４では、フィルター室１３０に流入した気泡の流通方向が矢印ｍｄによって示されている。以下では、図３及び図４を用いて、フィルター室１３０における気泡の移動の様子を説明する。フィルター１５０により液体から分離されなかった気泡は、液体の移動に伴って第１空間１３２（図３）から第２空間１３４に移動する。第１空間１３２から第２空間１３４への気泡の移動は、例えば、クリーニングを行う場合や、気泡のサイズがフィルター１５０の目よりも小さい場合等に生じる。クリーニングとは、本実施形態において、フィルター１５０により液体から分離され、第１空間１３２内に留まった気泡を、ヘッドチップ１２０を介して外部へ排出させる処理である。第２空間１３４に流入した気泡の一部は、第２接続口１４６４を介してヘッドチップ１２０へと流入する。また、第２接続口１４６４からヘッドチップ１２０に流入しなかった気泡は、浮力によって上方へと移動する。上方へと移動し、凸部１４４に到達した気泡は、図４に示す様に、凸部１４４に沿って移動する。凸部１４４に沿って移動した気泡は、凸部１４４の先端部１４４８に集まった後に、凸部１４４よりも上方の第１接続口１４６２側へと移動する。第１接続口１４６２側に移動した気泡は、第１接続口１４６２を介してヘッドチップ１２０へと流入する。ヘッドチップ１２０に流入した気泡は、液体と共に不図示のキャップやメディア２０（図１）に吐出される。なお、浮力による気泡の移動が可能なＣｄ方向と比べてＬｄ方向における気泡の移動は困難である。
【００３１】
以上説明した第１実施形態によれば、凸部１４４は、第２接続口１４６４から第１接続口１４６２に向かう方向であるＣｄ方向における第１接続口１４６２との距離において、一端部１４４４及び他端部１４４６より近い部分を有する。このため、第１接続口１４６２が第２接続口１４６４より上側になるようにフィルターユニット１００が用いられた場合において、第２接続口１４６４側から第１接続口１４６２側へと移動する気泡が凸部１４４に沿って移動する。これにより、気泡は、第１接続口１４６２に近い先端部１４４８に集まる。したがって、第１接続口１４６２からの気泡の流出が促され、気泡がフィルター室１３０の上端部に溜まることを抑制できる。
【００３２】
また以上説明した第１実施形態によれば、フィルター１５０と凸部１４４との間において、第２空間１３４の流路断面を小さくできるので、フィルター１５０と凸部１４４との間における気泡の流速が大きくなる。このため、第１接続口１４６２への気泡の移動が促される。これにより、第２空間１３４の上端部である一端部１３４２に到達する前に、気泡が第１接続口１４６２から排出される可能性が高くなる。したがって、気泡がフィルター室１３０の上端部に溜まることをより抑制できる。
【００３３】
また以上説明した第１実施形態によれば、フィルター室１３０の第１の最大幅Ｗ１は、第２の最大幅Ｗ２より大きい。このため、フィルター室１３０のフィルター１５０側の壁面の面積が同一である場合には、第２の最大幅Ｗ２を小さくすることができる。第２の最大幅Ｗ２を小さくすることによって、第１接続口１４６２への気泡の移動を容易にできる。
【００３４】
また以上説明した第１実施形態によれば、距離Ｄ１は、第１の最大幅Ｗ１の二分の一より小さい。このため、一端部１３４２から第１接続口１４６２までの距離Ｄ１が一端部１３４２から他端部１４４６までの距離Ｄ１の二分の一より大きい場合と比べて、第２空間１３４のうち第１接続口１４６２より上側に位置する領域を小さくすることができる。したがって、気泡がフィルター室１３０の上端部に溜まることをより抑制できる。
【００３５】
また以上説明した第１実施形態によれば、他端部１３４４から第２接続口１４６４までの距離Ｄ２は、第１の最大幅Ｗ１の四分の一より小さい。このため、距離Ｄ２が他端部１４４６から一端部１４４４までの最大幅Ｗ１の四分の一より大きい場合と比べて、第２空間１３４のうち第１接続口１４６２より上側に位置する領域を小さくすることができる。したがって、第１接続口１４６２と第２接続口１４６４とが水平になるようにフィルターユニット１００が用いられた際でも、気泡がフィルター室１３０の他端部１３４４側に溜まることを抑制できる。水平になるようにフィルターユニット１００が用いられる場合には、例えば、液体吐出装置１とは別の機種やヘッドユニット１２の検査装置等において用いられる場合が該当する。
【００３６】
Ｂ．第２実施形態
図５は、第２実施形態に係るフィルターユニット３００の模式図である。図５は、図３において示した切断面と対応した位置における断面図を示している。フィルターユニット３００は、Ｌｄ方向における第２空間１３４の一端部１３４２の幅Ｗ３が小さい点において、第１実施形態に係るフィルターユニット１００と異なる。なお、以下において、第１実施形態の構成と同様の構成については、同一の符号を付し、詳細な説明を省略する。
【００３７】
以上説明した第２実施形態によれば、上記第１実施形態と同様の構成を有する点において、同様の効果を奏する。また第２実施形態に係るフィルターユニット３００によれば、第２空間１３４に移動した気泡は、第２空間１３４の壁面に沿って移動する。これにより、一端部１３４２において気泡が中央側に移動する。このため、第１接続口１４６２の周囲に気泡を集めることがきる。したがって、第１接続口１４６２からの気泡の排出が容易になる。
【００３８】
Ｃ．第３実施形態
図６は、第３実施形態に係るフィルターユニット４００の模式図である。図６は、図３において示した切断面と対応した位置における断面図を示している。フィルターユニット４００において、凸部４４４が第１接続口１４６２に向かって突出していない点において、第１実施形態に係るフィルターユニット１００と異なる。なお、以下において、第１実施形態の構成と同様の構成については、同一の符号を付し、詳細な説明を省略する。
【００３９】
図７は、図６における７−７断面を示す模式断面図である。凸部４４４の一端部４４４４と他端部４４４６には、テーパー構造が形成されている。具体的には、凸部４４４の一端部４４４４及び他端部４４４６に向かうにつれて、凸部４４４とフィルター１５０との距離が大きくなる。
【００４０】
以上説明した第３実施形態によれば、上記第１実施形態と同様の構成を有する点において、同様の効果を奏する。また第３実施形態に係るフィルターユニット４００によれば、凸部４４４は、テーパー構造を有することによって、気泡の流通を容易にできる。
【００４１】
Ｄ．参考例
図８は、参考例に係るフィルターユニット５００の模式図である。図９は、図８における９−９断面を示す模式断面図である。図８及び図９に示す様に、参考例に係るフィルターユニット５００には、凸部が形成されていない点と、第２接続口１４６４が設けられた位置とが、異なる。具体的には、図９に示す様に、第２接続口１４６４がＣｄ方向におけるフィルター室１３０の端部のうち第２接続口１４６４側に位置する他端部１３４４から第２接続口１４６４までの距離Ｄ２は、第１の最大幅Ｗ１の二分の一より大きい。これにより、凸部が設けられていない場合であっても、フィルターユニット５００は、第２空間１３４の一端部１３４２側における気泡の排出性と向上できる。
【００４２】
Ｅ．他の実施形態
Ｅ１．第１の他の実施形態
図１０は、第１の他の実施形態に係るフィルターユニット６００の模式図である。上記実施形態において、第１空間１３２側から第２空間１３４側を見た場合における、第２空間１３４の形状は、適宜変更可能である。例えば、図１０に示す様に、楕円形状であってもよい。
【００４３】
Ｅ２．第２の他の実施形態
上記実施形態において、第１空間１３２側から第２空間１３４側を見た場合における、Ｃｄ方向におけるフィルター室１３０の最大幅Ｗ１は、フィルター室１３０のＬｄ方向における最大幅Ｗ２より大きい。しかし、第１空間１３２側から第２空間１３４側を見た場合における、Ｃｄ方向におけるフィルター室１３０の最大幅Ｗ１は、フィルター室１３０のＬｄ方向における最大幅Ｗ２より大きくなくてもよい。この場合には、第１空間１３２側から第２空間１３４側を見た場合における、Ｃｄ方向におけるフィルター１５０の最大幅は、フィルター１５０のＬｄ方向における最大幅より大きくなくてもよい。
【００４４】
Ｅ３．第３の他の実施形態
上記実施形態において、Ｃｄ方向におけるフィルター室１３０の端部のうち第１接続口１４６２側に位置する一端部１３４２から第１接続口１４６２までの距離Ｄ１は、第１の最大幅Ｗ１の二分の一より小さい。しかし、一端部１３４２から第１接続口１４６２までの距離Ｄ１は、これに限定されない。例えば、距離Ｄ１は、第１の最大幅Ｗ１の二分の一以上であってもよい。
【００４５】
Ｅ４．第４の他の実施形態
上記実施形態において、Ｃｄ方向におけるフィルター室１３０の端部のうち第２接続口１４６４側に位置する他端部１３４４から第２接続口１４６４までの距離Ｄ２は、第１の最大幅Ｗ１の四分の一より小さい。しかし、他端部１３４４から第２接続口１４６４までの距離Ｄ２は、これに限定されない。例えば、距離Ｄ２は、第１の最大幅Ｗ１の四分の一以上であってもよい。
【００４６】
Ｅ５．第５の他の実施形態
上記実施形態において、ヘッドユニット１２は、６つのヘッドチップ１２１〜１２６がＬｄ方向に一列に並んだ構造を有している。しかし、ヘッドユニット１２は、これに限定されない。例えば、ヘッドユニット１２に備えられたヘッドチップの数は、７つ以上であってもよく、５つ以下であってもよい。また、ヘッドユニット１２は、ヘッドチップ１２１〜１２６がＬｄ方向に二列に並んだ構造を有してもよい。
【００４７】
Ｅ６．第６の他の実施形態
上記実施形態において、ヘッドユニット１２において、複数のヘッドチップ１２０は、第２接続口１４６４から第１接続口１４６２に向かう方向に直交する方向に沿って配置されている。しかし、複数のヘッドチップ１２０が配置される方向は、これに限定されない。例えば、複数のヘッドチップ１２０は、第２接続口１４６４から第１接続口１４６２に向かう方向に交差する方向、例えば第２接続口１４６４から第１接続口１４６２に向かう方向に沿って配置されていてもよい。
【００４８】
Ｅ７．第７の他の実施形態
上記実施形態において、第１接続口１４６２と第２接続口１４６４とには、それぞれ別のエネルギー発生素子１７３を有するヘッドチップ１２０が接続されているが、これに限定されない。例えば、ヘッドチップ１２０は、第１接続口１４６２と第２接続口１４６４との下流側において液体の流通経路が合流し、１つのヘッドチップ１２０に流入する構造であってもよい。
【００４９】
Ｅ８．第８の他の実施形態
上記実施形態において、ヘッドチップ１２０は、フィルターユニット１００〜６００とヘッドチップ１２０とが一体化した構造を有しているが、これに限定されない。例えば、ヘッドチップ１２０は、フィルターユニット１００〜６００とヘッドチップ１２０とが別体の構造を有していてもよい。
【００５０】
Ｅ９．第９の他の実施形態
上記実施形態において、フィルター室１３０に設けられた接続口は、第１接続口１４６２と第２接続口１４６４との２つであるが、これに限定されない。例えば、フィルター室１３０に設けられた接続口は、３つ以上であってもよい。この場合には、液体吐出装置１に備えられた場合において、３つ以上の接続口のうち少なくとも２つの接続口の鉛直方向（Ｚ軸方向）が異なっていれば良い。この場合には、鉛直方向（Ｚ軸方向）が異なる任意の２つの接続口のうち、上側に位置する接続口が第１接続口であり、下側に位置する接続口が第２接続口である。また、フィルター室１３０に設けられた接続口が３つ以上である場合には、ヘッドチップ１２０も３つ以上であってもよい。
【００５１】
以上説明した第１から第９の他の実施形態であっても、上記実施形態と同様の構成を有する点において、同様の効果を奏する。
【００５２】
Ｃ１０．第１０の他の実施形態
本開示は、インクを吐出する液体吐出装置に限らず、インク以外の他の液体を吐出する任意の液体吐出装置にも適用することができる。例えば、以下のような各種の液体吐出装置に本開示は適用可能である。
（１）ファクシミリ装置等の画像記録装置。
（２）液晶ディスプレイ等の画像表示装置用のカラーフィルターの製造に用いられる色材吐出装置。
（３）有機ＥＬ（Ｅｌｅｃｔｒｏ  Ｌｕｍｉｎｅｓｃｅｎｃｅ）ディスプレイや、面発光ディスプレイ（Ｆｉｅｌｄ  Ｅｍｉｓｓｉｏｎ  Ｄｉｓｐｌａｙ、ＦＥＤ）等の電極形成に用いられる電極材吐出装置。
（４）バイオチップ製造に用いられる生体有機物を含む液体を吐出する液体吐出装置。
（５）精密ピペットとしての試料吐出装置。
（６）潤滑油の吐出装置。
（７）樹脂液の吐出装置。
（８）時計やカメラ等の精密機械にピンポイントで潤滑油を吐出する液体吐出装置。
（９）光通信素子等に用いられる微小半球レンズ（光学レンズ）などを形成するために紫外線硬化樹脂液等の透明樹脂液を基板上に吐出する液体吐出装置。
（１０）基板などをエッチングするために酸性又はアルカリ性のエッチング液を吐出する液体吐出装置。
（１１）他の任意の微小量の液滴を吐出させる液体吐出ヘッドを備える液体吐出装置。
【００５３】
なお、「液体」とは、液体吐出装置が消費できるような材料であればよい。例えば、「液体」は、物質が液相であるときの状態の材料であれば良く、粘性の高い又は低い液状態の材料、及び、ゾル、ゲル水、その他の無機溶剤、有機溶剤、溶液、液状樹脂、液状金属（金属融液）のような液状態の材料も「液体」に含まれる。また、物質の一状態としての液体のみならず、顔料や金属粒子などの固形物からなる機能材料の粒子が溶媒に溶解、分散または混合されたものなども「液体」に含まれる。液体の代表的な例としてはインクや液晶等が挙げられる。ここで、インクとは一般的な水性インク及び油性インク並びにジェルインク、ホットメルトインク等の各種の液体状組成物を包含するものとする。
【００５４】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００５５】
（１）本開示の一形態によれば、フィルターユニットが提供される。このフィルターユニットは、液体が流通するフィルター室を構成する流路部材と、前記フィルター室を液体の流通方向の上流側に位置する第１空間と下流側に位置する第２空間とに区画するフィルターと、を備え、前記流路部材の壁面のうち前記第２空間の壁面には、前記フィルターから離れる方向にくぼむ２つの凹部である、第１凹部と第２凹部とが形成され、前記壁面のうち前記第１凹部と前記第２凹部との間には、前記フィルターに近づく方向に突き出る凸部が形成され、前記第１凹部の内には、前記第２空間から前記フィルター室の外部に液体を流出させるための第１接続口が形成され、前記第２凹部の内には、前記第２空間から前記フィルター室の外部に液体を流出させるための第２接続口が形成され、前記第１空間側から前記第２空間側を見た場合において、前記凸部は、前記第１接続口と前記第２接続口との間を横切る方向に延び、前記横切る方向における前記凸部の一端部と他端部との間を先端部とした場合に、前記フィルターの面内方向のうち前記第２接続口から前記第１接続口に向かう方向である第１方向における前記第１接続口と前記先端部との間の距離は、前記第１方向における前記第１接続口と前記一端部との間の距離よりも短く、前記第１方向における前記第１接続口と前記他端部との間の距離よりも短い。
この形態のフィルターユニットによれば、第１接続口が第２接続口より上側になるようにフィルターユニットが用いられた場合において、第２接続口側から第１接続口側へと移動する気泡が凸部に沿って移動する。また、フィルターと凸部との間において、第２空間の流路断面を小さくできるので、フィルターと凸部との間における気泡の流速が大きくなる。このため、第１接続口への気泡の移動が促される。これにより、第２空間の上端部に到達する前に、気泡が第１接続口から排出される可能性が高くなる。したがって、気泡がフィルター室の上端部に溜まることを抑制できる。
【００５６】
（２）上記形態のフィルターユニットおいて、前記第１空間側から前記第２空間側を見た場合において、前記第１方向における前記フィルターの最大幅は、前記フィルターの面内方向のうち前記第１方向に直交する方向である第２方向における前記フィルターの最大幅より大きくてもよい。第１接続口が第２接続口より上側になるようにフィルターユニットが用いられた場合において、浮力による気泡の移動が可能な第１方向と比べて第２方向における気泡の移動は困難である。しかし、この形態のフィルターユニットによれば、フィルターのフィルター面における面積が同一である場合には、第２方向におけるフィルターの最大幅を小さくすることができる。このため、第２方向におけるフィルターの最大幅を小さくすることによって、第１接続口への気泡の移動を容易にできる。したがって、気泡がフィルター室の上端部に溜まることをより抑制できる。
【００５７】
（３）上記形態のフィルターユニットおいて、前記第１空間側から前記第２空間側を見た場合において、前記第１方向における前記フィルターの端部のうち前記第１接続口側に位置する一端部から前記第１接続口までの距離は、前記一端部から前記フィルターの他端部までの距離の二分の一より小さくてもよい。この形態のフィルターユニットによれば、第１接続口が第２接続口より鉛直方向上側になるようにフィルターユニットが用いられた際には、一端部から第１接続口までの距離が一端部から他端部までの距離の二分の一より大きい場合と比べて、第２空間のうち第１接続口より上側に位置する領域を小さくすることができる。したがって、気泡がフィルター室の上端部に溜まることをより抑制できる。
【００５８】
（４）上記形態のフィルターユニットおいて、前記第１空間側から前記第２空間側を見た場合において、前記第１方向における前記フィルターの端部のうち前記第２接続口側に位置する他端部から前記第２接続口までの距離は、前記他端部から前記一端部までの距離の四分の一より小さくてもよい。この形態のフィルターユニットによれば、フィルター室のうち第２接続口より他端部側の領域を小さくすることができる。したがって、第１接続口と第２接続口とが水平になるようにフィルターユニットが用いられた際でも、気泡がフィルター室の他端部側に溜まることを抑制できる。
【００５９】
（５）本開示の他の形態によれば、液体を外部へ吐出する液体吐出ヘッドが提供される。この液体吐出ヘッドは、上記形態のフィルターユニットと、前記第１接続口および前記第２接続口に接続され、前記第１接続口および前記第２接続口を介して前記フィルターユニットから流入する液体を外部へと吐出するための開口を有する複数のノズルと、前記液体に外部に吐出するための動力を付与するエネルギー発生素子と、を備える。
この形態の液体吐出ヘッドによれば、上記形態のフィルターユニットを備えるので、第１接続口が第２接続口より鉛直方向上側になるようにフィルターユニットが用いられた場合において、第２接続口側から第１接続口側へと移動する気泡が凸部に沿って移動する。また、フィルターと凸部との間において、第２空間の流路断面を小さくできるので、フィルターと凸部との間における気泡の流速が大きくなる。このため、第１接続口への気泡の移動が促される。これにより、第２空間の上端部に到達する前に、気泡が第１接続口から排出される可能性が高くなる。したがって、気泡がフィルター室の上端部に溜まることによる、液体吐出ヘッドの吐出不良が抑制される。
【００６０】
（６）上記形態の液体吐出ヘッドにおいて、前記複数のノズルは、前記第１接続口を介して前記フィルター室に接続された第１ノズルと、前記第２接続口を介して前記フィルター室に接続された第２ノズルと、を含み、前記エネルギー発生素子は、前記第１ノズルから吐出される液体に前記動力を付与する第１エネルギー発生素子と、前記第２ノズルから吐出される液体に前記動力を付与する第２エネルギー発生素子と、を含んでもよい。この形態の液体吐出ヘッドによれば、第１接続口側と第２接続口側との間において一方の接続口側で付与される動力が他方の接続口側に影響を与えることを抑制できる。
【００６１】
（７）上記形態の液体吐出ヘッドによれば、複数の前記フィルター室を備え、前記第１空間側から前記第２空間側を見た場合において、前記第１方向における各前記フィルター室に配置された前記フィルターの最大幅は、各前記フィルター室に配置された前記フィルターの面内方向のうち前記第１方向に直交する方向である第２方向における前記フィルターの最大幅より大きく、複数の前記フィルター室は、前記第２方向に沿って配置されていてもよい。この形態のフィルターユニットによれば、フィルターのフィルター面における面積が同一である場合には、第２方向におけるフィルターの最大幅を小さくすることができる。このため、第２方向におけるフィルターの最大幅を小さくすることによって、第１接続口への気泡の移動を容易にできる。したがって、気泡がフィルター室の上端部に溜まることをより抑制できる。また、第２の値が第１の値より大きい場合と比べて、第２方向における液体吐出ヘッドの大きさの低減が容易である。また、複数のフィルター室毎に異なる液体を流通させることが可能である。
【００６２】
（８）本開示の他の形態によれば、液体吐出装置が提供される。この液体吐出装置は、上記形態の液体吐出ヘッドと、モーターを有し、前記液体吐出ヘッドから吐出された液体を受けるメディアを搬送する搬送機構と、を備える。
この形態の液体吐出ヘッドによれば、上記形態の液体吐出ヘッドを備えるので、第１接続口が第２接続口より鉛直方向上側になるようにフィルターユニットが用いられた場合において、第２接続口側から第１接続口側へと移動する気泡が凸部に沿って移動する。また、フィルターと凸部との間において、第２空間の流路断面を小さくできるので、フィルターと凸部との間における液体の流速が大きくなり、第２空間内における液体の流通に伴う気泡の移動が促進される。このため、第１接続口への気泡の移動が促される。これにより、気泡が第２空間の上端部に到達する前に、第１接続口から排出される可能性が高くなる。したがって、気泡がフィルター室の上端部に溜まることによる、液体吐出装置の吐出不良が抑制される。
【００６３】
（９）本開示の他の形態によれば、液体吐出装置が提供される。この液体吐出装置は、液体の流通が可能なフィルター室を構成する流路部材と、前記フィルター室の内部空間を液体の流通方向の上流側に位置する第１空間と下流側に位置する第２空間とに区画するフィルターと、前記フィルター室に接続され、前記フィルター室から流入する液体を吐出する液体吐出ヘッドと、前記吐出される液体を受けるメディアを搬送するためのモーターと、を備え、前記フィルターは、鉛直方向に垂直な平面に交差するように配置され、前記流路部材の壁面のうち前記第２空間の壁面には、前記第２空間と前記液体吐出ヘッドとを接続させるための２つの開口である、第１接続口と第２接続口とが形成され、前記第１接続口と前記第２接続口とは、前記鉛直方向における位置が異なり、前記第１空間側から前記第２空間側を見た場合において、前記フィルターの面内方向のうち前記第１接続口から前記第２接続口に向かう方向である第１方向における前記フィルターの最大幅は、前記フィルターの面内方向のうち前記第１方向に直交する方向である第２方向における前記フィルターの最大幅より大きい。
この形態の液体吐出装置によれば、フィルターのフィルター面における面積が同一である場合には、第２方向におけるフィルターの最大幅を小さくすることができる。第１接続口が第２接続口より鉛直方向上側になるようにフィルターユニットが用いられた場合において、浮力による気泡の移動が可能な第１方向と比べて第２方向における気泡の移動は困難である。このため、第２方向におけるフィルターの最大幅を小さくすることによって、第１接続口への気泡の移動を容易にできる。したがって、気泡がフィルター室の上端部に溜まることによる、液体吐出装置の吐出不良が抑制される。
【００６４】
（１０）上記形態の記載の液体吐出装置において、前記壁面には、前記フィルターから離れる方向にくぼむ２つの凹部である、第１凹部と第２凹部とが形成され、前記壁面のうち前記第１凹部と前記第２凹部との間には、前記フィルターに近づく方向に突き出る凸部が形成され、前記第１接続口は、前記第１凹部の内に形成され、前記第２接続口は、前記第２凹部の内に形成され、前記凸部は、前記第１空間側から前記第２空間側を見た場合において、前記第１接続口と前記第２接続口との間を横切る方向に延びていてもよい。この形態の液体吐出装置によれば、第１接続口と第２接続口との間においてフィルター室の流路断面を小さくすることができる。このため、第１接続口と第２接続口との間における液体の流速を大きくすることができる。これにより、第２空間内における液体の流通に伴う気泡の移動が促進される。したがって、気泡の排出が促進される。
【００６５】
（１１）上記形態の記載の液体吐出装置において、前記凸部は、前記第１空間側から前記第２空間側を見た場合において、前記横切る方向における前記凸部の一端部と他端部との間に、前記一端部と前記他端部とを結ぶ直線より、前記第１接続口に近い部分を有してもよい。この形態の液体吐出装置によれば、フィルターのフィルター面における面積が同一である場合には、第２方向におけるフィルターの最大幅を小さくすることができる。第１接続口が第２接続口より鉛直方向上側になるようにフィルターユニットが用いられた場合において、浮力による気泡の移動が可能な第１方向と比べて第２方向における気泡の移動は困難である。このため、第２方向におけるフィルターの最大幅を小さくすることによって、第１接続口への気泡の移動を容易にできる。
【００６６】
（１２）上記形態の記載の液体吐出装置において、前記第１空間側から前記第２空間側を見た場合において、前記第１方向における前記フィルターの端部のうち第１接続口側に位置する一端部から前記第１接続口までの距離は、前記一端部から前記フィルターの他端部までの距離の二分の一より小さくてもよい。この形態の液体吐出装置によれば、一端部から第１接続口と重なる位置までの距離は、一端部から他端部までの距離の二分の一より小さい。このため、第１接続口が第２接続口より鉛直方向上側になるようにフィルターユニットが用いられた際には、一端部から第１接続口と重なる位置までの距離が一端部から他端部までの距離の二分の一より大きい場合と比べて、第２空間のうち第１接続口より上側に位置する領域を小さくすることができる。したがって、気泡がフィルター室の上端部に溜まることをより抑制できる。
【００６７】
（１３）上記形態の記載の液体吐出装置において、前記第１空間側から前記第２空間側を見た場合において、前記第１方向における前記フィルターの端部のうち第２接続口側に位置する他端部から前記第２接続口までの距離は、前記他端部から前記フィルターの一端部までの距離の四分の一より小さくてもよい。この形態の液体吐出装置において、他端部から第２接続口と重なる位置までの距離は、他端部から一端部までの距離の四分の一より小さい。このため、第１接続口と第２接続口とが水平になるようにフィルターユニットが用いられた際には、フィルター室のうち第２接続口より他端部側の領域を小さくすることができる。したがって、気泡がフィルター室の他端部側に溜まることを抑制できる。
【００６８】
（１４）上記形態の記載の液体吐出装置において、複数の前記フィルター室を備え、複数の前記フィルター室は、前記第２方向に沿って配置されていてもよい。この形態の液体吐出装置によれば、第１空間側から第２空間を見た場合において、第１の値は、第２の値より大きく、複数のフィルター室は、第２方向に沿って配置されている。このため、第２空間に流入した気泡が第１接続口を避けてフィルター室の上端部に到達する可能性を低減できる。したがって、気泡がフィルター室の上端部に溜まることをより抑制できる。また、第２の値が第１の値より大きい場合と比べて、第２方向における液体吐出装置の大きさの低減が容易である。
【００６９】
（１５）上記形態の記載の液体吐出装置において、前記液体吐出ヘッドは、前記液体を外部へと吐出するための開口を有するノズルと、前記液体に外部に吐出するための動力を付与するエネルギー発生素子と、を備え、前記ノズルは、前記第１接続口を介して前記フィルター室に接続された第１ノズルと、前記第２接続口を介して前記フィルター室に接続された第２ノズルと、を含み、前記エネルギー発生素子は、前記第１ノズルから吐出される液体に前記動力を付与する第１エネルギー発生素子と、前記第２ノズルから吐出される液体に前記動力を付与する第２のエネルギー発生素子と、を含んでもよい。この形態の液体吐出装置によれば、エネルギー発生素子は、第１ノズルから吐出される液体に動力を付与する第１エネルギー発生素子と、第２ノズルから吐出される液体に動力を付与する第２エネルギー発生素子と、を含む。このため、第１接続口側と第２接続口側との間において一方の接続口側で付与される動力が他方の接続口側に影響を与えることを抑制できる。
【００７０】
本開示は、フィルターユニット、液体吐出ヘッド及び液体吐出装置以外の種々の形態で実現することも可能である。例えば、フィルターユニット又は液体吐出ヘッドの製造方法等の形態で実現することができる。
【符号の説明】
【００７１】
１…液体吐出装置、１０…外殻、１１…装着部、１２…ヘッドユニット、１５…搬送機構、１７…制御部、１９…キャリッジ、２０…メディア、３０…液体供給源、１００…フィルターユニット、１１２…液体導入針部、１１８…プレート、１１９…ノズル、１２０…ヘッドチップ、１２１…ヘッドチップ、１３０…フィルター室、１３２…第１空間、１３４…第２空間、１４０…流路部材、１４１…壁面、１４４…凸部、１５０…フィルター、１７１…本体部、１７２…ノズル孔、１７３…エネルギー発生素子、１８０…接続流路、３００…フィルターユニット、４００…フィルターユニット、４４４…凸部、５００…フィルターユニット、６００…フィルターユニット、１３４２…一端部、１３４４…他端部、１４２２…第１凹部、１４２４…第２凹部、１４４２…尾根部、１４４４…一端部、１４４６…他端部、１４４８…先端部、１４６２…第１接続口、１４６４…第２接続口、４４４４…一端部、４４４６…他端部、
【図１】
2020032677.tif 000003
【図２】
2020032677.tif 000004
【図３】
2020032677.tif 000005
【図４】
2020032677.tif 000006
【図５】
2020032677.tif 000007
【図６】
2020032677.tif 000008
【図７】
2020032677.tif 000009
【図８】
2020032677.tif 000010
【図９】
2020032677.tif 000011
【図１０】
2020032677.tif 000012